(57)【要約】【課題】本発明は、真空蒸着方式によりアルミニウム板に高純度のチタン、シリコンをコーティングさせることで反射率が９０％以上、かつ変色や剥れのない反射面を具備した照明器具を提供するものである。【解決手段】本発明は、天井２から電気コード３によって吊下げられるホルダ４と、このホルダ４に取り付けられ、その内面に反射面５が形成される反射傘６と、前記ホルダ４のソケット７に取り付けられ、前記反射傘の内側に位置するランプ８を備えた構成とする。【選択図】図１
2007242409.tif 000002
【特許請求の範囲】
【請求項１】
天井から電気コードによって吊下げられるホルダと、
このホルダに取り付けられ、その内面に反射面が形成される反射傘と、
前記ホルダのソケットに取り付けられ、前記反射傘の内側に位置するランプを備える
ことを特徴とするランプを備えた照明器具。
【請求項２】
天井から電気コードによって吊下げられるホルダと、
この種々の形態のホルダに対して取り付け可能とされるホルダ取り付け部と傘部を有する反射傘と、
前記反射傘の傘部内面に取り付けられる八面体の反射面と、
前記ホルダのソケットに取り付けられ、前記反射傘の内側に位置するランプを備える
ことを特徴とするランプを備えた照明器具。
【請求項３】
前部開口端に前面ガラスが装着される投光器本体において、
前記投光器本体内に設けられるソケット台に、取る付けられるソケットと、
前記ソケット台の開口縁に取り付けられ、その内面に反射面が形成される反射板と、
前記ソケットに取り付けられ、前記反射板の内側に位置するランプを備える
ことを特徴とするランプを備えた照明器具。
【請求項４】
前記反射面が、９０％以上の反射率を有する
ことを特徴とする請求項１、２または３記載のランプを備えた照明器具。
【請求項５】
前記反射傘あるいは、反射板が、載頭状の円錐形又は多角錐形である
ことを特徴とする請求項１、２、３または４記載のランプを備えた照明器具。
【請求項６】
前記反射面に酸化チタンがコーティングされる
ことを特徴とする請求項１、２、３、４または５記載のランプを備えた照明器具。
【発明の詳細な説明】
【技術分野】
【０００１】
本発明は照明器具に関する。詳しくは天井等に取り付けられるランプを備えた照明器具に係るものである。
【背景技術】
【０００２】
工場や倉庫などの施設においては、例えば図８に示すような照明器具がある。この照明器具はハロゲン電球１０２と、これからの光を反射する反射面１０３を内面に形成している反射鏡１０４と、ハロゲン電球１０２の口金１０５を着脱自在にねじ込ませて給電するソケット１０６と、このソケット１０６を支持すると共に、反射鏡１０４を収容する照明器具本体１０７を具備し、天井より吊下げられ、該照明により床等において所定の照度を得ている（特許文献１参照。）。
【０００３】
【特許文献１】特開平９−２３７６１０号公報（発明の実施の形態、第５図）
【発明の開示】
【発明が解決しようとする課題】
【０００４】
しかしながら前記反射鏡１０４の反射面１０３は、ガラスや金属、樹脂などからラッパ形状に形成される反射鏡１０４の内面にアルミニウム蒸着や白色の塗装により反射面１０３を形成するものであるが、長時間使用し続けることによるフィラメント等の発熱により、その周囲の反射面が高温に晒されることになり、変色や剥れにより反射率が著しく低下する問題がある。
【０００５】
したがって、工場や倉庫等の特に規模が大きい施設においては、照明の数も増加し、照明に係るコストは増大する。このため少なくとも照度を低下させることなく照明に係るコストをダウンさせることができる照明が望まれている。
【０００６】
本発明は、以上の点に鑑みて創案されたものであって、真空蒸着方式によりアルミニウム板に高純度のチタン、シリコンをコーティングさせることで反射率が９０％以上、かつ変色や剥れのない反射面を具備した照明器具を提供するものである。
【課題を解決するための手段】
【０００７】
上記の目的を達成するために、本発明に係るランプを備えた照明器具は、天井から電気コードによって吊下げられるホルダと、このホルダに取り付けられ、その内面に反射面が形成される反射傘と、前記ホルダのソケットに取り付けられ、前記反射傘の内側に位置するランプを備える。
【０００８】
ここで、既存のシェードに替えてその内面に反射面が形成される反射傘を取り付けることによって、電灯の増設なしに、照度アップによる照明環境向上を実現する。
【０００９】
また、上記の目的を達成するために、本発明に係るランプを備えた照明器具は、天井から電気コードによって吊下げられるホルダと、この種々の形態のホルダに対して取り付け可能とされるホルダ取り付け部と傘部を有する反射傘と、前記反射傘の傘部内面に取り付けられる八面体の反射面と、前記ホルダのソケットに取り付けられ、前記反射傘の内側に位置するランプを備える。
【００１０】
ここで、既存のシェードを取り外して、反射傘を取り付ける場合であっても種々のホルダに対して取り付け可能とされるホルダ取り付け部によってそのままの状態で取り付けることできる機構とするものである。
【００１１】
また、上記の目的を達成するために、本発明に係るランプを備えた照明器具は、前部開口端に前面ガラスが装着される投光器本体において、前記投光器本体内に設けられるソケット台に、取る付けられるソケットと、前記ソケット台の開口縁に取り付けられ、その内面に反射面が形成される反射板と、前記ソケットに取り付けられ、前記反射板の内側に位置するランプを備える。
【００１２】
ここで、投光器内に設けられるソケットに取り付けられるランプを、その内面に反射面が形成される反射板によって取り囲むことによって、電灯の増設なしに、照度アップによる投光環境の改善を実現する。
【００１３】
また、前記反射面が、９０％以上の反射率を有することにより、従来型反射板比１５０％〜２４０％の明るさが得られるため、低ワットのランプに交換可能となり、ランニングコストの大幅削減が達成される。
【００１４】
また、反射傘あるいは、反射板が、載頭状の円錐形又は多角錐形とすることにより、照明器具の取り付け高さ、あるいはランプの種類および容量に応じて照明器具の照射角度の調整を容易に行うことができる。
【００１５】
前記反射面に酸化チタンがコーティングされることにより、変色や剥がれもなく、帯電性も０に近くオイルミストなどが付着し難いものとなる。
【発明の効果】
【００１６】
以上の構成よりなる本発明のランプを備えた照明器具では、高反射率の反射面を有するシェードを取り付けることによって従来の照明器具に比較して照度を高めることが可能となることにより、従来のランプよりも低消費電力のランプを使用して実現することが可能となり、その結果、照度を維持したまま照明にかかるコストをダウンさせることができるという効果がある。
【００１７】
また、反射板に反射率が９０％以上となる金属素材を使用することによって、同一種類のランプにおいて、３０〜７５％消費電力が低いランプを使用することができる。例えば従来１０００Ｗの水銀灯を使用している天井の高さが１０ｍの建屋において、反射率が９５％程度の反射面を備えた照明器具を使用することによって、ランプとして７００Ｗの水銀灯を使用することができ、従来４００Ｗの水銀灯を使用している天井の高さが６ｍの建屋においては、２００Ｗの水銀灯を使用することが可能となる。
【００１８】
また、最近では地球温暖化を阻止するために二酸化炭素放出の抑制が叫ばれている。この二酸化炭素は照明や冷暖房による消費電力の増大が一因にあげられており、各工場における省エネルギーによる稼働の実現が要求されており、本発明による照明器具を使用することによって二酸化炭素の抑制が可能となる。
【発明を実施するための最良の形態】
【００１９】
以下、本発明の実施の形態を図面を参酌しながら説明し、本発明の理解に供する。
図１に、本発明を適用したランプを備えた照明器具の一例を説明するための正面説明図である。
【００２０】
ここで示す照明器具１は、施設の高天井２から電気コード３によって吊下げられるホルダ４と、このホルダ４に取り付けられ、その内面に反射面５が形成される反射傘６と、前記ホルダ４のソケット７に取り付けられ、前記反射傘５の内側に位置するランプ８とから構成される。
【００２１】
前記反射傘６は、図２（イ）、（ロ）、（ハ）でそれぞれ示すように、反射傘６の反射面５の全光反射率が概ね９５％であるアルミ板に真空蒸着方式によりチタン、シリコンなどがコーティングされるものである。
【００２２】
そこで図２（イ）に示す反射傘６は、多角面９、９、・・が形成されるように折り曲げられる筒体１０の前記多角面９、９、・・の上端開口縁に合せた状態で天井面１１がリベット１２などに接合され、その上端開口縁に外周面と平行とされるホルダ４への取り付け穴１３が装着されるものである。
【００２３】
前記取り付け穴１３は、ホルダ４に設けられるソケット７に合せた形状穴とし、図１に示すように、該ソケット７に嵌入れた状態で前記ホルダ４の端面に締結ネジ１４等によって取り付けられるように前記取り付け穴１３周囲にネジ孔１５が穿孔される。
【００２４】
次に図２（ロ）に示す反射傘６は、多角面９、９、・・が形成されるように折り曲げられる多角錐形状の筒体１０の上端開口縁に、筒体１０の外周面と平行とされるホルダ４への取り付け穴１３が装着されるものである。また、前記前記取り付け穴１３周囲にはネジ孔１５が穿孔される
【００２５】
また図２（ハ）に示す反射傘６は、円錐形状の筒体１０の上端開口縁に、筒体１０の外周面と平行とされるホルダ４への取り付け穴１３が装着されるものである。また、前記前記取り付け穴１３周囲にはネジ孔１５が穿孔される
【００２６】
このように本実施形態においては、図３（イ）、（ロ）、（ハ）にそれぞれ示すように、従来公知のシェード（図示せず。）をホルダ４から取り外し、本発明の反射傘６をソケット７に嵌入れた状態で前記取り付け穴１３周囲のネジ孔１５から締結ネジ１４等によってホルダ４の端面に取り付けられる。そしてソケット７に水銀ランプ等のランプ８をねじ込んで取り付ける。
【００２７】
図３（イ）で示すような反射傘６では、筒体１０の高さｈより下端開口幅ｗを大きくとることによって比較的に低い高さ位置からの照明や小型の水銀ランプを使用する場合に照射範囲が制限されるために有効である。
【００２８】
また、図３（ロ）、（ハ）で示すような反射傘６では、筒体１０の高さｈより下端開口縁ｗを小さくすることによって倉庫や工場など高い天井からの照明や大型の水銀ランプを使用する場合に下方に向けて照射範囲を大きくとれるために有効である。
【００２９】
次に、図４に本発明を適用したランプを備えた照明器具の反射傘の他の例を説明するための斜視図、図５に、図４における内部を示す斜視図を示す。
【００３０】
ここで示す反射傘６は、アルミニウム合金により上部に円筒形状のホルダ取り付け部２５および、その下部に形成される半円球体形状の傘部２６とからなるものである。
前記ホルダ取り付け部２の上端面の中央にはソケットを挿通するための取り付け穴１３が開設され、その取り付け穴１３の周囲にはホルダに取り付けるためのネジ孔１５が設けられるものである。
【００３１】
そこで前記ネジ孔１５は、各メーカーの取扱うホルダに対応すべく位置に設けられており、既存のシェードを取り外して、本件発明の反射傘６を取り付ける場合であってもそのままの状態で取り付けることできる機構とされるものである。
【００３２】
そして前記反射傘６の傘部２６の内面には八面体よりなる反射面５が周設されるものである。この八面体よりなる反射面５は、全光反射率が概ね９５％であるアルミ板に真空蒸着方式によりチタン、シリコンなどがコーティングされるものである。
【００３３】
したがって、照明器具１下の作業場周囲の照度が落ちることなく一定の高照度を得ることが可能となる。
【００３４】
次に、図６に本発明を適用したランプを備えた照明器具の他の例を説明するための一部切欠側面説明図、図７に、図６における正面説明図を示す。
【００３５】
ここで示す照明器具１は屋外用の投光器を示すものであり、前部に開口縁を有する投光器本体１７内にはソケット台１８が設けられ、このソケット台１８内にはソケット７が取り付けられる。
そして前記ソケット台１８の開口縁には、多角面９、９、・・が形成されるように折り曲げられる多角錐形状の反射板１９が取り付けられ、さらに前記投光器本体１７の開口縁に沿って前面パッキン２０および前面ガラス２１が嵌め入れられた後に、前面枠２２を枠取付ネジ２３によって密閉状に取り付けるものである。
【００３６】
また、前記投光器本体１７はツマミネジ２４によってアーム１６に回動自在な状態で連結され、投光角度を自在に調整できる機構とするものである。
【００３７】
以上の構成よりなる本発明の照明器具１は、全光反射率が概ね９５％である高反射率の反射傘６によって、従来の倉庫等に設けられている照明器具のランプより低消費電力のランプを使用して、当該倉庫等において従来と同様、または従来以上の照度を得ることができる。
【００３８】
また、反射面５に真空蒸着方式により高純度のチタン、シリコンなどをコーティングすることにより、変色や剥がれもなく、帯電性も０に近くオイルミストなどが付着し難いものとなる。また、多少の汚れがあってもランプの取替え時期に反射傘を中世洗剤等で軽く洗浄することでほぼ１００％の反射効率に回復する。
【００３９】
このように従来水銀灯を使用する照明器具が設置されていた倉庫等において、本照明器具１を使用する場合、ランプとしてより低消費電力の水銀灯に交換できる他、一般的にランプは消費電力が低くなるにしたがって低価格となるため、メタルハライドランプ（ＭＦランプ）やＣＤＭランプ等のように、水銀灯に比較して高価ではあるが、輝度が高いランプ（水銀灯と同一消費電力において、より消費電力の高い水銀灯と同等の輝度を持つランプ）の低消費電力のものを使用することもできる。
【００４０】
例えば、従来１０００Ｗの水銀灯を使用している天井の高さが１０ｍの倉庫において、反射率が９５％以上の反射面を有する反射傘を使用することにより、７００Ｗの水銀灯を使用することができ、また従来４００Ｗの水銀灯を使用している天井高さが６ｍの倉庫においては、２００Ｗの水銀灯を使用することができ、大幅な消費電力の削減が可能となる。
【００４１】
さらに、前記１０００Ｗの水銀灯を使用している倉庫の場合、従来のシェードに替えて本発明の反射傘を使用することによって、従来１４０ＬＵＸであった照度が、３００ＬＵＸに向上する。また、前記４００Ｗの水銀灯を使用している倉庫の場合、従来のシェードに替えて本発明の反射傘を使用することによって、従来１４０ＬＵＸであった照度が、６００ＬＵＸに向上する。
【００４２】
また、反射傘は上端側内周面から下端側内周面に向かって傾斜して広がっているため、所定の反射角度でランプの光を反射して下方に投光する。したがって、前記図２（イ）、（ロ）、（ハ）でそれぞれ示すように、照明器具の取り付け高さ、あるいはランプの種類および容量に応じて内周壁の傾斜角度の異なる反射傘を選択して取り付けることによって、照明器具の照射角度の調整を容易に行うことができる。
【００４３】
したがって、この照射角度の調設によって、所定の１つの照明器具によって光を照射する範囲および照度が調節される。
【図面の簡単な説明】
【００４４】
【図１】本発明を適用したランプを備えた照明器具の他の例を説明するための一部切欠側面説明図である。
【図２】本発明を適用したランプを備えた照明器具に使用する反射傘の一例を示す説明図である。
【図３】図２における反射傘を取付けた状態の照明器具を示す説明図である。
【図４】本発明を適用したランプを備えた照明器具の反射傘の他の例を説明するための斜視図である。
【図５】図５における反射傘の内部を示す斜視図である。
【図６】本発明を適用したランプを備えた照明器具の他の例を説明するための一部切欠側面説明図である。
【図７】図７における正面説明図である。
【図８】従来のランプを備えた照明器具の一例を示す説明図である。
【符号の説明】
【００４５】
１      照明器具
２      高天井
３      電気コード
４      ホルダ
５      反射面
６      反射傘
７      ソケット
８      ランプ
９      多角面
１０    筒体
１１    天井面
１２    リベット
１３    取り付け穴
１４    締結ネジ
１５    ネジ孔
１６    アーム
１７    投光器本体
１８    ソケット台
１９    反射板
２０    パッキン
２１    前面ガラス
２２    前面枠
２３    枠取付ネジ
２４    ツマミネジ
２５    ホルダ取り付け部
２６    傘部
【図１】
2007242409.tif 000003
【図２】
2007242409.tif 000004
【図３】
2007242409.tif 000005
【図４】
2007242409.tif 000006
【図５】
2007242409.tif 000007
【図６】
2007242409.tif 000008
【図７】
2007242409.tif 000009
【図８】
2007242409.tif 000010